(57)【特許請求の範囲】
【請求項１】
シリカ又は金属酸化物からなる支持体の表面に、生物学的分子を取り付ける方法であって、当該分子が前記支持体と結合する特異的結合部位を有するものであり、
-少なくとも一の溶媒、又は酸素プラズマを使用して洗浄するか、或いはアルコール基を支持体表面に形成する他の何れかの方法により、支持体の表面を官能化して、当該表面を親水性にし、
- 当該生物学的分子を当該表面と直接的に接触させ、そして
- 支持体表面に保持された少なくとも一の当該アルコール基に取り付けることにより、その前記支持体と結合する特異的結合部位において当該生物学的分子を固定化して、これにより当該分子がより良好な反応性を有するように差し向けられることからなることを特徴とする方法であって、かつ、生物学的分子の前記特異的結合部位がヒスチジン含有部位である方法。
【請求項２】
接触させる前に、前記表面をクロム硫酸混合物（sulfochromic mixture）中に浸漬する工程を含むことを特徴とする請求項１に記載の方法。
【請求項３】
前記の生物学的分子の特異的結合部位が、以下の特徴：
- 付加アミノ酸配列、即ち当該生物学的分子の元の配列に付加されたものであること；
- この配列は、元の配列中に導入され、その導入される部位において前記支持体への固定化が許容されるようにして露出されること
を備えていることを特徴とする請求項１又は２に記載の方法。
【請求項４】
前記の生物学的分子及び前記の特異的結合部位が、少なくとも二つの隣接ヒスチジンを含む、「タグ」と呼ばれる組換体蛋白質を構成することを特徴とする請求項１乃至３の何れか一項に記載の方法。
【請求項５】
前記の生物学的分子の特異的結合部位が、少なくとも４つの隣接ヒスチジンを含むことを特徴とする請求項１乃至４の何れか一項に記載の方法。
【請求項６】
前記の生物学的分子の特異的結合部位が、少なくとも６つの隣接ヒスチジンを含むことを特徴とする請求項５に記載の方法。
【請求項７】
前記の特異的部位が、前記の組換体蛋白質内に位置することを特徴とする請求項５又は６に記載の方法。
【請求項８】
前記の特異的部位が、そのＮ末端若しくはＣ末端に位置することを特徴とする請求項７に記載の方法。
【請求項９】
前記の接触が、３０乃至６０分間行われることを特徴とする請求項１乃至８の何れか一項に記載の方法。
【請求項１０】
前記の接触が、４５分間行われることを特徴とする請求項１乃至９の何れか一項に記載の方法。
【請求項１１】
前記の浸漬する工程が、５乃至３０分間行われることを特徴とする請求項２に記載の方法。
【請求項１２】
前記の浸漬する工程が、１５分間行われることを特徴とする請求項２又は１１に記載の方法。
【請求項１３】
特異的結合部位の前記支持体への取りつけにより、前記の生物学的分子の配向性の固定化が許容される水素ポテンシャル（ｐＨ）で行われることを特徴とする請求項１乃至１２の何れか一項に記載の方法。
【請求項１４】
請求項１又は１３に記載の、シリカ又は金属酸化物からなる支持体の表面に生物学的分子を取り付ける方法により得られる支持体表面。
【請求項１５】
平らであることを特徴とする請求項１４に記載の表面。
【請求項１６】
ビーズからなることを特徴とする請求項１５に記載の表面。
【請求項１７】
請求項１４乃至１６の何れか一項に記載の、又は請求項１乃至１３の何れか一項に記載の方法により製造される、支持体表面の使用であって、分析用の液体中において、特異的結合部位を介して当該支持体へ付着することのできる何れかの生物学的分子の存在を検出するアッセイを行うことからなることを特徴とする使用。
【請求項１８】
請求項１４又は１６の何れか一項に記載の、又は請求項１乃至１３の何れか一項に記載の方法により製造される、支持体表面の使用であって、分析用の液体中において、天然の蛋白質に特異的な抗体の存在を、天然の蛋白質と同じようにして、少なくとも一の組換体蛋白質への特異的結合により検出する免疫学的アッセイを行うことからなることを特徴とする使用。
【請求項１９】
天然の蛋白質はＰ２４蛋白質であり、組換体蛋白質はＲＨ２４蛋白質である、請求項１８に記載の使用。
【発明の詳細な説明】
【０００１】
【発明の属する技術分野】
本発明は、生物学的分子、例えば抗原に由来する組換体蛋白質、抗体や酵素、更には合成ペプチドやＰＮＡ（ペプチド核酸）を、シリカ又は金属酸化物からなる支持体表面に取り付ける方法に関する。本発明はまた、そのように作製された支持体、及びそのような支持体の使用にも関する。
【０００２】
【従来の技術】
生物学的分子をシリカ製支持体へ取り付ける多くの方法が存在する。これれは全て、シリカのシラン処理工程を含むものであるが、この工程は表面に所望の特徴又は機能を付与するものである。この官能化により、化合物を吸着、共有カップリング、複合体化（complexation）で取り付けることが可能になる。
【０００３】
第一には、吸着技術がある。この技術は、例えば特許出願EP-０,３６８,２０８及びWO-A-91/02980に記載されている。この場合、蛋白質は複数の相互作用経路を介して支持体へ吸着することができる（１）。主なものは、疎水性、極性、及びイオン性の相互作用である。これらの相互作用は、支持体、蛋白質及び考慮する媒体のいずれにも依存する。
疎水性の吸着は、実験室で使用される、平坦なシリカ支持体への吸着方法により行われるが（２）、ここでは長鎖アルキル基を有するシラン処理済表面と、蛋白質の一以上の疎水性領域との間の相互作用を利用する。
しかしながら、アルキル鎖上の要素の向きに関しては、取り付けは全く均一ではなく、当該要素の一部のみが実際には、引き続く反応にかけることができ、そのため感度が制限される
【０００４】
第二には、カップリング技術がある。この点においては、共有結合方法も存在するが、この方法ではシランで官能化されたシリカであって、アミン、チオール、又はエポキシ基でシランを終結させたものを使用する。これらの基は、蛋白質中のアクセス可能なアミノ酸の化学反応性基上で反応する。この共有結合は、直接的に又はカップリング剤を介して起こる。
蛋白質の支持体への共有結合は、不可逆であって、一般的には蛋白質上の複数のアクセス可能な基上で起こる。この結果、時として分子の活性の阻害が起こることがある。
例えば、特許出願ＥＰ-Ａ-０，８７４，２４２は、生物学的分子が完全にランダムに支持体（酸化シリカ）に取り付けられたもののシラン処理に関するものである。この取り付けは、複数の工程で行われる。まず、酸素のブリッジを加水分解してシラノールを活性化し、次に、このシラノールと、リガンドを受け入れることが可能な中間体付着分子との間での結合を行う。
【０００５】
従って少なくとも二つの工程があるが、これらは反応時間を長くし、必ずしも良好な結果と適合せず、これらは生物学的なもの又はその他のものであり、リガンドの取り付けをより複雑なものにし、またリガンドに配向をもたせることができない。この中間体付着分子への付着はランダムである。
【０００６】
特許出願ＥＰ-Ａ-０，２７２，７９２は、明らかに上記の出願と同じ欠点を有しているが、それは抗原を粒子に対して、いまだにランダムな方法で結合することを提案しているからである。繰り返すが、共有結合を介して、粒子と抗原を間接的に連結するであろう臭化シアンを準備する、第二の中間工程がある。
従って、二つの特許出願ＥＰ-Ａ-０，８７４，２４２及びＥＰ-Ａ-０，２７２，７９２は本発明の主要な目的のうちの一つからはかなり離れているものである。この目的は、支持体へ取り付けられた生物学的分子に向きを与えることからなる。
しかしながら、「タグ」、例えば本出願人の１９９７年６月２０日の特許出願ＦＲ９７／０８０５５において開示されているリジンを有する蛋白質を、方向づけて選択的に取り付けることが可能である。
いうまでもなくこの資料には、シリカ又は金属酸化物からなる支持体への単一工程による取り付けについての言及はない。
【０００７】
第三には、キレート化技術がある。この場合、生物学的分子は、当業者らに知られる原理、例えばＩＭＡＣ（固定化金属イオンアフィニティークロマトグラフィー）法を使用した、レジン上の蛋白質の精製に使用されるものによるキレート化により、支持体へ選択的に取り付けることも可能である（３、４）。このような蛋白質は、ヒスチジン豊富な、「タグ」と呼ばれる標識を有している。この方法の困難な点は、二価のイオンであってキレート化に必要とされるものを有する支持体を作製することにある。このような方法は、１９９７年４月１６日に本出願人により出願された特許出願ＦＲ９７／０４９２３に開示されている。本発明によれば、生物学的物質を取り付ける方法により、この物質を金属錯体と複合体化することを最適化することが可能になり、同時に当該物質の当該金属錯体への吸着についての副反応のいずれをも減少又は消失させることを可能にしさえもする。このため、生物学的物質を取り付ける本発明の方法においては、配位リガンド化合物、又は後者より得られる錯体化合物が使用されるが、当該リガンド化合物はミクロ粒子の形態、又は線状の形態をとり、少なくとも一の粒子又は線状のポリマーからなっていて、露出された疎水性表面と共有結合した錯体化フリーな基とを有している。
【０００８】
【発明が解決しようとする課題】
本発明の主題は、生物学的分子、例えば抗原から誘導される組換体蛋白質、抗体や、酵素、更には合成ペプチドやＰＮＡ（ペプチド核酸）を、シリカ又は金属酸化物の支持体へ取り付けることを可能にすることである。この固定には、シリカのシラノール又は金属酸化物のアルコール基と、蛋白質に特異的な領域との間の相互作用を利用する。このように作られた生物特異的支持体の特異性は主として、表面にある当該生物学的分子又はリガンドの良好な向きと、非常に良好なシグナル対バックグラウンドノイズの比率とにより起因している。更にこのタイプの固定化は単純で経時安定性がある。
【０００９】
【課題を解決するための手段】
そのため本発明は、生物学的分子を、シリカ又は金属酸化物からなる支持体表面へ取り付ける方法に関するが、ここで当該分子は特異的結合部位を含み、この方法は、
-少なくとも一の溶媒、又は酸素プラズマを使用して、或いはアルコール基を支持体表面に形成する他の何れかの方法により、支持体の表面を官能化して、当該表面を親水性にし、
-当該生物学的分子を当該表面と直接的に接触させ、そして
-当該生物学的分子の当該特異的結合部位を、支持体表面に保持された少なくとも一の当該アルコール基に取り付けることにより、当該支持体を官能化し、これにより当該分子がより良好な反応性を有するように差し向けられる
ことからなることを特徴としている。
【００１０】
【発明の実施の形態】
一の好ましい態様によれば、本方法は、接触させる前に、前記の官能化された表面をクロム硫酸混合物（sulfochromic mixture）中に浸漬する工程を含んでいる。
全ての場合、生物学的分子の特異的結合部位は、以下の特徴を有している：
-付加アミノ酸配列、即ち当該生物学的分子の元の配列に付加されたものであること；
-この配列は、元の配列中の好ましい部位に導入され、そこでその機能又はその特徴に関して適切に露出されること；そして
-所望の機能に関して有益である特定のアミノ酸を含むこと。
【００１１】
一の態様によれば、生物学的分子の特異的結合部位は、ヒスチジン及びその誘導体に富む部位であり、例えば十分な、具体的には２５％以上、好ましくは３３％以上のヒスチジン密度を有する部位である。
より具体的には、別の態様によれば生物学的分子及び特異的結合部位は、「タグ」と呼ばれる、少なくとも二つの隣接ヒスチジンを含む組換体蛋白質を構成する。
【００１２】
更に別の態様によれば生物学的分子の特異的結合部位は、少なくとも４つの、好ましくは６つの隣接ヒスチジンを含んでいる。
どのような場合でも、特異的部位は組換体蛋白質内、又は好ましくはそのＮ末端若しくはＣ末端に位置している。
接触は、３０乃至６０分間行われる。
より具体的には接触は４５分間行われる。
【００１３】
浸漬する工程は、５乃至３０分間行われる。
より具体的には、浸漬する工程は１５分間行われる。
【００１４】
本方法は、生物学的分子と、特異的結合部位との物理化学的特徴の関数である水素ポテンシャル（ｐＨ）の最適値、好ましくは６乃至７．５において実施される。
【００１５】
本発明はまた、支持体表面であって、上記の方法により官能化されたものにも関する。
好ましい態様においては、当該表面は平らである。
別の態様においては、当該表面はビーズからなる。
【００１６】
本発明はまた、支持体についての、上記したように官能化された、又は上記の方法で製造された表面の使用であって、分析用の液体中において、特異的結合部位を介して当該支持体へ付着することのできる何れかの生物学的分子の存在を検出するアッセイを行うことからなることを特徴とする使用に関する。
好ましい態様においては、支持体についての、上記のように官能化された、又は上記の方法で製造された表面は、分析用の液体中において、天然の蛋白質、例えばＰ２４蛋白質に特異的な抗体の存在を、天然の蛋白質と同じようにして、少なくとも一の組換体蛋白質、例えばＲＨ２４又はＲ２４蛋白質への特異的結合により検出する免疫学的アッセイを行うために使用される。
このＰ２４蛋白質は、１型のヒト免疫不全ウイルス（ＨＩＶ-１）のカプシドの組換体蛋白質である。
【００１７】
添付の図面は、実施例を例示するためのものであり、本発明の正確な範囲について制限するものではない。
【００１８】
酸化ケイ素製又はシリカ製の平らな支持体、及び１型ヒト免疫不全ウイルス（ＨＩＶ-１）カプシドの組換体蛋白質をモデルとして使用する。このシステムにより、原子間力顕微鏡を、免疫学的分析方法又はＳＦＭＩＡ（２）として利用することが可能になる。
【００１９】
ここで考慮する蛋白質は、ＲＨ２４である。これは通常の分子生物学的方法及び真核性の発現を使用して入手される（５）。この蛋白質は、ＲＨ２４と実質的に同じである（同一の免疫原性である）が、付加アミノ酸からなる短い配列の存在のために、より簡単に精製される。「タグ」と呼ばれる一連のアミノ酸には、具体的には６つの連続するヒスチジンが含まれている。金属イオンに対するこのような分子モチーフの親和性は、非常に高い。この性質のため、ＩＭＡＣ（固定化金属イオン親和性クロマトグラフィー）法を使用した精製が容易になる。対照の、「タグ」なし蛋白質はＲ２４である。これはＲＨ２４と同様にして得られるが、免疫親和性により精製される。
【００２０】
特異的結合部位は、このように連続するアミノ酸の形態とすることができるが、このアミノ酸は同一でも異なっていても、接近していても接近していなくてもよいが、近傍にある。
【００２１】
「タグ」についての定義は以下の通りである：
１）アミノ酸の付加配列、即ち元の配列（蛋白質、ペプチド、ＰＮＡ）に付加されたものである；
２）この配列は、元の配列中の好ましい部位に導入され、そこでその機能（又はその特徴、例えばキレーション、カップリング、特定の支持体との相互作用等）に関して適切に露出され、特には組換体蛋白質、又は合成ペプチド若しくはＰＮＡのＮ末端及びＣ末端において露出されている；そして
３）所望の機能に関して有益である特定のアミノ酸、本願の場合にはヒスチジンであって、配列内において、接近して（特には二つ、好ましくは６つの接近したヒスチジン）、十分な（具体的には２５％、好ましくは３３％以上）密度で分布しているものを含む。
【００２２】
有益には当該結合部位は、３乃至１０のアミノ酸であって、接近しているか又は接近していないものを、少なくとも３０アミノ酸を含む蛋白質物質の一次構造が規定されるようにして含んでいる。好ましい変異としてはこれは、少なくとも２つ、好ましくは少なくとも３つ、より好ましくは少なくとも６つのヒスチジン残基からなるが、更に好ましくはこれらの残基は近接している。
上記の部位は、蛋白質物質の一次構造中の何れかの部位において見いだすことができる。好ましくは当該蛋白質物質のＮ末端又はＣ末端に位置する。
【００２３】
シリカは種々の形態（平らな表面、ビーズ、繊維など）で入手可能であるが、これは超小型電子技術において広く使用されている化合物である。しかしながら、医学診断の研究においてはますます、生体分子に対して感受性のあるチップを含んだ、いわゆる「統合」システム（ＤＮＡチップ、バイオチップ等）に焦点が置かれている。このような技術は感度、迅速性、及びミニチュア化と結びつけられるであろう。
更に、２、３オングストロームを越えない粗さを有するシリカ表面を得ることも可能である。この特徴により、非常に強力な検出及び分析の手段である、原子間力顕微鏡（ＡＦＭ）の使用が可能になる。原子間値から顕微鏡は、生物学的分子で官能化された表面の観察、及び非常に感度のより免疫アッセイ（２）を提供する。
【００２４】
ＲＨ２４は、シリカ製支持体に対する天然の親和性を有することが分かった。この特徴は、支持体表面とポリ（ヒスチジン）配列との間の強力な直接的相互作用によるものである。
よって本発明は、組換体蛋白質を、ヒスチジン配列を介してシリカへ取り付けることに関する。この技術はまた、このような蛋白質を当該表面に差し向けることをも可能にする。具体的には、当該分子の露出領域が認識部位であるならば、より反応性となる（例えば酵素活性部位や免疫優性エピトープ等）。
更に具体的には本発明は、ＲＨ２４と何れかの組換体蛋白質の、シリカに対する配向性の取り付けに関する。従って本発明はこのようなラインに沿ったものである。Ｒ２４蛋白質及びその組換体であるＲＨ２４とＲＨ２４Ｋについての完全な情報は、本出願人により、１９９７年６月２０出願の先行特許出願ＦＲ９７／０８０５５に見いだすことができる。この出願の内容は、本願に組み込まれる。
【００２５】
本発明は、シリカと組換体蛋白質との間の結合のための、シリカのシラン処理を必要としない、直接的な取り付け方法に関する。
この方法は、疎水性シリカに対する、ＲＨ２４「タグ」の特異的親和性を利用している。この取り付け技術は新規のものであり、非常に簡単で強力である。これが本発明の、保護を求めている主題である。
第二の方法によるこの固定化の利点は、二つの主要な技術において見いだされる；一つにはＥＬＩＳＡにおける簡潔性と強力さであり、もう一つはＡＦＭ（ＳＦＭＩＡ）における適合性と感度についてである。
【００２６】
実施例１：生体特異的支持体の製造
比較のため、各種のシリカ支持体へのＲ２４及びＲＨ２４の吸着を試験した。３種のタイプの平坦シリカ支持体を使用した：
−  清浄化もスルホクロム酸混液で加水分解もされていないため、部分的に疎水性である剥き出しのシリカ、
−  清浄化されスルホクロム酸混液で加水分解されているため、非常に親水性のシリカ、並びに
−  n-オクタデシルジメチルメトキシシランで官能化された非常に疎水性のシリカ。
【００２７】
ここで使用される支持体は、シリコンウェハー（ACM（フランス）から得た４”研磨ウェハー、P-doped N-type、厚さ５２５マイクロメーター、配向＜１００＞）である。
【００２８】
初めに、該ウェハーを０．６４ｃｍ2の四角いブロックに切断する。
【００２９】
１）部分的に疎水性の剥き出しのシリカ：
清浄化ブロックは、天然のまたは当業者に周知の各種の方法で得られる酸化ケイ素の層をその表面に有する。この酸化物層は、とりわけ疎水性のシロキサン架橋を有し、それは環境の混在物で汚染されるであろう。
【００３０】
このタイプのシリカは、部分的に疎水性である。
【００３１】
２）非常に親水性であるシリカ：
清浄化され所望のサイズを有する親水性シリカ支持体を得るために、ブロックを以下の処理にかける：
−  表面清浄化：シリカブロックを多様な溶媒で洗浄する；以下の順序で以下の溶媒が使用される：水、エタノール、アセトン、ジクロロメタン、及びトルエン、そして
−  シロキサン架橋のシラノールへの加水分解：シリカ支持体を、スルホクロム酸混液（９５％硫酸中で酸化クロム（ＶＩ）で飽和したPROLABO溶液）。表面を水で徹底的にリンスし、超音波バスに移す；ブロックを窒素ガスで乾燥させて、迅速な再混在化を制限するためにそれらを迅速に使用する。
【００３２】
清浄化シリカの主な特性は、その高い親水性度である。これは、接触の角度（水滴の端に沿った接線と支持体の表面の間の角度）を測定することによって確認でき、それは１０度以下である。
【００３３】
３）疎水性シリカ：
ブロックを上述のように清浄化する（パラグラフ２）。
【００３４】
次いで、室温で３時間、アルキル長鎖を有するシランである、n-オクタデシルジメチルメトキシシランをトルエン中で２％で接触させることによって、シリカを疎水性にする。次いで該ブロックを水で徹底的に洗浄し、超音波によって清浄化し、１２０℃で２時間安定化させる。
【００３５】
４）記載された各種の支持体へのタンパク質の吸着：
Ｒ２４またはＲＨ２４の場合、親水性支持体（パラグラフ２に記載された支持体）または疎水性支持体（パラグラフ１及び３に記載された支持体）への吸着を実施することが可能である。
【００３６】
親水性支持体への吸着の場合、事前に処理されたシリカ表面を官能化する必要はない；それは既に官能化されていると考慮される。
【００３７】
この方法は従来、親水性の剥き出しのシリカに対しては決して使用されていない。特に、これらの相互作用は、一般的に非常に微弱である（ｐＨおよびイオン強度の変化に非常に敏感である）。しかしながら、ＲＨ２４、若しくは上述のいずれかの他の「リガンド」の場合において、実施するのが非常に容易であるため、「タグ」の存在は、この吸着を非常に有利にする。
【００３８】
ＰＢＳ中に希釈された★４０マイクロリットルのＲＨ２４（またはコントロールとしてのＲ２４）を、親水性シリカに対して室温で４５分インキュベーションする。
【００３９】
ＲＨ２４は、シリカに対して強力な親和性を有する。この親和性の利点は、Ｒ２４と比較してＲＨ２４に対しての特異性にある。これより先、以下の分析は、「タグ」の役割をより明確に理解することを試みている。
【００４０】
ＰＢＳ中の★４０マイクロリットルのタンパク質溶液を、シラン化ブロックに対して室温で２時間インキュベーションする。次いでそれらを、ＰＢＳ−Ｔｗｅｅｎ（ＰＢＳ中に０．０５％Ｔｗｅｅｎ）でリンスする。
【００４１】
実施例２：生体特異的支持体試験：
Ｒ２４とＲＨ２４の配向の存在が、二つのタイプのイムノアッセイ：ＥＬＩＳＡ及びＳＦＭＩＡで明らかにされる。
【００４２】
支持体の表面でのＲ２４またはＲＨ２４の存在を、抗体を使用して評価する。ポリクローナル抗体またはモノクローナル抗体溶液を使用する。所望の濃度でＰＢＳ−ＴＷＥＥＮ−ＢＳＡ[ＰＢＳ−ＴＷＥＥＮ中に０．０５％のＢＳＡ（ｗ／ｗ）]混合物中に溶液の抗体の４０μｌの水滴を、３７℃で１時間ブロックに配置する。ＴＷＥＥＮと同様にＢＳＡにより、非特異的な相互作用を制限することが可能である。次いで支持体に吸着するが、タンパク質には吸着しない抗体の最大量を除去するために、ケイ素スクエアーをＰＢＳ−ＴＷＥＥＮ−ＢＳＡで洗浄する。ブロックを圧縮空気で乾燥する。
【００４３】
１）酵素アッセイ（ＥＬＩＳＡ）：
組換えタンパク質によって捕捉されたビオチン化抗体の量を、酵素アッセイで評価する。アルカリホスファターゼ（ＡＬＰ）−ストレプトアビジン複合体を、最初に結合する。このために、ＰＢＳ−ＴＷＥＥＮ−ＢＳＡ中の４ｇ／ｍｌのストレプタビジン−ＡＬＰの溶液４０μｌを、３７℃で４５分反応させる。
【００４４】
次いで、酵素の存在を、発色基質、p-ニトロフェニルホスファターゼ（ｐｎＰＰ）を添加することによって明らかにする。ブロックを、その緩衝液中の２ｍｇ／ｍｌのｐｎＰＰ溶液０．８ｍｌに浸す。酵素を３７℃で４５分その基質と反応させる。次いで、０．８ｍｌの１Ｎ水酸化ナトリウムを添加することによって、反応を停止する。
【００４５】
ＡＸＩＡリーダーミクロプレートにおいて、１００μｌの溶液について４０５ｎｍで発色アッセイを実施する。得られたＯＤは、表面のタンパク質の濃度と相関する。
【００４６】
２）ＳＦＭＩＡアッセイ：
支持体表面上に組換えタンパク質によって捕捉されたビオチン化抗体の量を、ＡＦＭトポグラフィックラベルによって評価する。
【００４７】
ストレプタビジンで被覆され、５０ｎｍの直径を有する磁性ビーズの５％（ｖ／ｖ）溶液★４０μｌを、１時間支持体に沈着させる。表面での反応を補助するために、支持体を希土類金属より成る強力な磁石上に配置する。次いでブロックを水でリンスし、圧縮空気で乾燥する。
【００４８】
表面での磁性ビーズの数は、支持体上に残存するタンパク質の量と比例する。ビーズの数をＡＦＭによって定量する。
【００４９】
実施例３：Ｒ２４とＲＨ２４の付着法の比較：
図１の結果は、標準的な条件の下で１μｇ／ｍｌの抗体１３Ｂ５を使用するＥＬＩＳＡによって明らかにされた、１０μｇ／ｍｌのタンパク質濃度について得られたものである。
【００５０】
この抗体は、本特許出願と同日に出願された本出願人による仏国特許出願の主題である。この別の出願の名称は、"Ligand peptidique presentant une affinite specifique vis a vis de la protein p24 du retrovirus HIV" [ＨＩＶレトロウイルスのＰ２４タンパク質について特異的な親和性を有するペプチドリガンド]である。
【００５１】
親水性シリカ製支持体のみが、Ｒ２４とＲＨ２４の間のシグナルの顕著な差異を示す。このことは、ＲＨ２４「タグ」が、親水性吸着において特異的な役割を果たすことを示す。
【００５２】
他方で、シグナル／ノイズ比のグラフをプロットした場合に得られる結果が、図２に示される。
【００５３】
親水性支持体への吸着の特異性に加えて、この支持体は、優れたシグナル／ノイズ係数を得ることが可能である。これはおそらく、親水性支持体への抗体の吸着がほとんどないという事実から生ずる（抗体のＦｃはむしろ疎水性である）。
【００５４】
バックグランドノイズを制限することは、感度のよい検出系を生産するための必須の因子である。そのため、得られた生のシグナルが疎水性表面のそれよりわずかに低いものであっても、バックグランドノイズの増分は、それを潜在的により有利な系にする。
【００５５】
１）ｐＨ及びイオン強度：
環境の媒体のイオン強度に対して比較的非感受性であるため、シリカに対するＲＨ２４の親和性は優れている。かくして、水または９Ｍ ＮａＩの溶液でのリンスは、表面に何の効果も有さない。かくして、一度結合するとＲＨ２４は、支持体に強力に結合する。
【００５６】
ＲＨ２４を、そのｐＨが４から１１の間で変化する各種のリン酸緩衝液中に１μｇ／ｍｌで希釈する。次いで、それを吸着させ、１μｇ／ｍｌのウサギポリクローナル抗体を使用する標準的なＥＬＩＳＡアッセイで明らかにする。得られた最適な吸着条件は、６から７の間で存在する（図３参照）。
【００５７】
そのタンパク質の等電点は６．０５であり、ポリヒスチジン配列のｐＫａは６であり、シラノールのｐＫａは４から７の間であることが周知であるため、この結果は相互作用のいくつかの考え得る方法（ヒスチジンの芳香環とシラノールの間で生ずる結合、シラノールと電子ドナーまたはアクセプター基の間での水素結合、脱プロトン化シラノール（−ＳｉＯ-）と６以下のｐＨで正に荷電するイミダゾール核の間での静電気的結合）と一致する。「タグ」は、これらの各種のタイプの相互作用の局在的な過剰濃度を有するため、これにより結合の親和性及び強固性を説明することが可能である。
【００５８】
２）結合強度：
「タグ」が支持体に対して高い親和性を効率的に有することを示すために、「タグ」と等しい配列(MRGSHHHHHHSVDES)を有するポリペプチドと競合させて、ＲＨ２４を吸着させた。このために、３．７×１０−７ｍｏｌ／ｌのＲＨ２４（１０μｇ／ｍｌ）と３．７×１０−４ｍｏｌ／ｌのポリペプチドの溶液を調製する（１０００分子のポリペプチド当たり１分子のＲＨ２４）。次いで、ブロックをこの混合物とインキュベーションし、１μｇ／ｍｌのモノクローナル抗体１３Ｂ５Ｄ１０を使用してＥＬＩＳＡで明らかにする。以下の結果が得られる：
【００５９】
【表１】
0004443764.tif 000002
【００６０】
表Ｉ：「タグ」／ＴＨ２４混合物について得られた密度
シグナルはポリペプチドの存在下で８５％より多くまで減少し、このことは、結合部位を占めることによって、配列がその支持体へのＲＨ２４の結合を妨げることを示唆する。
【００６１】
この結果は、ピリジンで競合することによっても得られたが、７０％より多くまでシグナルを減少するために、０．１１  ｍｏｌ／ｌの溶液が必要であった（３００，０００分子のピリジン当たり１分子のＲＨ２４）。シリカの表面に対するピリジンの親和性は非常に高いと解されることが周知であるため、ＲＨ２４「タグ」は、支持体に対して優れた親和性を有することが明らかである。上記結果は、イミダゾールを使用しては得ることができなかった。このことは、ＲＨ２４と表面の間の強力な相互作用が、考慮される基の性質だけでなく「タグ」中のそれらの数からも生ずることを示す。この複数の結合した共同的な効果は、この結合の強度を説明する。
【００６２】
全てのこれらの結果により、シリカに対するＲＨ２４の親和性が高いことを結論付けることが可能である。「タグ」とシラノールの間の複数の結合のモデルが、競合によって間接的に示された。
【００６３】
３）配向：
シリカ支持体上でＲＨ２４を検出するための系の感度を、ＳＦＭＩＡによって評価する。
【００６４】
１０μｇ／ｍｌタンパク質溶液を、ブロック上でインキュベーションする。これらのブロックを、磁性粒子でラベルされたポリクローナル抗体及びモノクローナル抗体（１５Ｆ８Ｃ７）を使用するＳＦＭＩＡによって明らかにする。表面を被覆する磁性粒子の量を、イメージプロセッシング系を使用して評価する。使用された抗体の濃度の関数である被覆のパーセントの曲線を、図４及び５においてプロットする。
【００６５】
ＳＦＭＩＡによって得られた結果は、モノクローナル抗体を使用した場合のＲ２４とＲＨ２４の間のシグナルの顕著な差異を示す。
【００６６】
使用されたモノクローナル抗体は、「タグ」に対して向けられていないので、それらはＲ２４とＲＨ２４に関して本質的に同じ反応性を有する。ＲＨ２４に関するシグナルの増大は、二つの現象から生ずるであろう。ＲＨ２４はＲ２４より表面でより濃縮されている、またはＲＨ２４はその支持体上で配向を有する。
【００６７】
もしＲＨ２４がその支持体上で配向を有しているのであれば、モノクローナル抗体の結合のためのエピトープは、より高い頻度で接近しているであろう。
【００６８】
実際、配向を有する結合の場合、モノクローナル抗体によって認識されるエピトープは、常に接近しているか全く接近しておらず、一方でランダムな結合の場合には、それは場合により接近しているのみであろう。かくしてこの結果により、このモノクローナル抗体に対するイムノアッセイによるシグナルの増大が生ずる。このシグナルの増幅は、ポリクローナル抗体がイムノドミナントのエピトープを有さないため、ＲＨ２４に対するこのポリクローナル抗体では生じないであろう。かくして、支持体上で上記タンパク質を配向することは、ポリクローナル抗体溶液に関しては何の価値をも有さない。
【００６９】
もしこの効果が表面濃縮のためのであるならば、これは「タグ」によって引き起こされる特異的な相互作用から生じるに違いない。この相互作用はタンパク質上に幾何学的に配置されるため、配向の効果と分離して考えることはできない。
【００７０】
４）結論：
実施された実験により、シリカとＲＨ２４の間の相互作用の特異性が、特異的結合部位または「タグ」から生ずることが明確に示される。
【００７１】
得られた固定化は、イオン強度の変化に対して比較的敏感ではなく、長期間にわたり免疫学的特性を保存する。さらに、この支持体は、疎水性支持体への吸着による系より、顕著に優れたシグナル／ノイズ比を与える。
【００７２】
抗ＲＨ２４抗体の酵素的アッセイのための標準的なアッセイは通常は、タンパク質が疎水性相互作用によって吸着された支持体（ポリスチレンウェル）で実施されている。親水性シリカに対する吸着によって得られた検出限界は、これらのイムノアッセイと匹敵する。
【００７３】
さらに、使用される平坦な支持体は、原子間力顕微鏡の使用に適合する。本出願人の名で1997年1月30日に出願された特許出願FR 97/01313に記載された、磁性ビーズを使用して実施されたＳＦＭＩＡアッセイは、高感度イムノアッセイを実施することを可能にする。
【００７４】
ＲＨ２４とＲ２４の間の系統的な比較により、イムノアッセイの場合において、ポリクローナル抗体に関して挙動の類似性、並びにモノクローナル抗体に関して顕著な差異が示された。表面でのＲＨ２４の配向は、その最適な説明である。
【００７５】
【参考文献１】
0004443764.tif 000003
【００７６】
【図面の簡単な説明】
【図１】  この図は、種々の支持体へ吸着されたＲＨ２４（■）、及びＲ２４（□）のＥＬＩＳＡアッセイで得られた光学密度（ＯＤ）の比較グラフを示すものである。（Ａ）は非常に疎水性の支持体、（Ｂ）は相対的に非疎水性の支持体、そして（Ｃ）は非常に親水性の支持体を示す。
【図２】  この図は、種々の支持体上の蛋白質系に吸着されたＲＨ２４及びＲ２４のシグナル／ノイズ係数の比較グラフを示すものである。（Ａ）は非常に疎水性の支持体、（Ｂ）は相対的に非疎水性のシリカ製支持体、そして（Ｃ）は非常に親水性の支持体を示す。
【図３】  この図は、ｐＨがＲＨ２４のシリカ上への吸着へ与える影響を示す曲線を表したものである。
【図４】  この図は、ＳＦＭＩＡ（スキャニングフォース顕微鏡免疫アッセイ（Scanning Force Microscopic ImmunoAssay））による、１５Ｆ８Ｃ７モノクローナル抗体のアッセイの曲線を示すものである。Ｒ２４（-●-）、ＲＨ２４（-▲-）。
【図５】  この図は、ＳＦＭＩＡによる、ウサギポリクローナル抗体のアッセイの曲線を示すものである。Ｒ２４（-●-）、ＲＨ２４（-▲-）。
【図１】
0004443764.tif 000004
【図２】
0004443764.tif 000005
【図３】
0004443764.tif 000006
【図４】
0004443764.tif 000007
【図５】
0004443764.tif 000008